(57)【要約】【課題】剥離紙（セパレータ）の無いノーセパレータラベル自体を改良し、ノーセパレータラベルにプリンターで印刷した後カットする際、カッタ刃にラベル裏面の粘着剤が付着しないようにしたノーセパレータラベルを提供する。【解決手段】裏面２に粘着剤３が施されてなる帯状のノーセパレータラベル１において、該ノーセパレータラベルのカット部９に相当する箇所の裏面２に前記粘着剤３が施されていない非粘着部４が設けられたものである。【選択図】図１
2007212693.tif 000002
【特許請求の範囲】
【請求項１】
裏面に粘着剤が施されてなる帯状のノーセパレータラベルにおいて、該ノーセパレータラベルのカット部に相当する箇所の裏面に前記粘着剤が施されていない非粘着部が設けられたことを特徴とするノーセパレータラベル。
【発明の詳細な説明】
【技術分野】
【０００１】
本発明は、剥離紙（セパレータ）の無いノーセパレータラベルをプリンターで印刷した後にカットする際、カッタ刃にラベル裏面の粘着剤が付着しないようにしたノーセパレータラベルに関する。
【背景技術】
【０００２】
従来から、ラベルプリンタを用いて印字を施す際に使用するラベルとして、ノーセパレータラベルと称せられるものが開発されている。このラベルは、帯状のラベル基材の裏面に粘着剤を連続的に設け、剥離紙（セパレータ）を付設しないことにより、剥離紙を剥す手間をなくし、環境問題にも適合するようにしたものである。
【０００３】
従って、このようなノーセパレータラベルの表面にプリンタで印刷を施した後は、所定長さごとにカットする必要がある。ところが、このカットの際に、ラベルの裏面の粘着剤がカッタ刃に付着し、ラベルの詰まりを生じたり、カッタ刃に付着した粘着剤を除去するための清掃を必要とする等の不都合が生じていた。
【０００４】
このような不都合を解消するための従来技術としては、特許文献１に掲げるものがある。この文献に記載されたオートカッタは、プリンタ本体部１０に、ロール状のライナレスラベル１１を保持するロール紙供給部１２、プラテンローラ１３、粘着防止ガイド１４、ロータリ刃１５が配置され、プリンタカバー部１６にはサーマル印字ヘッド１７、固定アンビル刃１８、ヘッド押圧バネ１９、固定刃押圧バネ２０が配置され、ライナレスラベル１１の印字面１１ａに印字が施されると、印字後のライナレスラベル１１は粘着防止ガイド１４を通り、オートカッタ機構部２１へ導かれる。
【０００５】
オートカッタ機構部２１は、回転するロータリ刃１５とそれに係合する固定アンビル刃１８により構成され、これらのロータリ刃１５と固定アンビル刃１８との噛み合いによりライナレスラベル１１を切断した後、ロータリ刃１５が支点１５ａを中心に固定アンビル刃１８に対して接離可能に回転することで、上記のカッタ刃に粘着剤１１ｂが付着しない構成としたものである。
【特許文献１】特開２００３−８９２４７号公報
【発明の開示】
【発明が解決しようとする課題】
【０００６】
ところが、上記の技術は、オートカッターに関するものであり、ノーセパレータラベル自体に改良を施すのではなく、それをカットする側のオートカッターに改良を加えた技術であるため、製造するのに相当なコストと手間が要求されるものである。
【０００７】
本発明は上記の事情に鑑みてなされたもので、剥離紙の無いノーセパレータラベル自体を改良し、ノーセパレータラベルにプリンターで印刷した後カットする際、カッタ刃にラベル裏面の粘着剤が付着しないようにしたノーセパレータラベルを提供することを目的とする。
【課題を解決するための手段】
【０００８】
上記の目的を達成するために、本発明における請求項１のノーセパレータラベルは、裏面に粘着剤が施されてなる帯状のノーセパレータラベルにおいて、該ノーセパレータラベルのカット部に相当する箇所の裏面に前記粘着剤が施されない非粘着部が設けられたことを特徴とする。
【発明の効果】
【０００９】
以上説明したように、本発明は、裏面に粘着剤が施されてなる帯状のノーセパレータラベルにおいて、該ノーセパレータラベルのカット部に相当する箇所の裏面に粘着剤が施されていない非粘着部が設けられてなり、表面に印刷を施した後、カッタ刃を非粘着部に当てて切断するため、カッタ刃に粘着剤が付着することなくカットすることが可能となる。
【００１０】
このように、本発明は、ノーセパレータラベル自体を改善したものであって、帯状のラベル基体の裏面に連続的に設けられていた粘着剤に間欠的に非粘着部を設けた構成となり、カッタ刃に粘着剤が付着することのないノーセパレータラベルを形成したものとなるため、簡単かつ低コストで作成することが可能となる。
【発明を実施するための最良の形態】
【００１１】
以下、本発明の実施例について図面を参照しながら説明する。
【実施例１】
【００１２】
本発明によるノーセパレータラベル１は、図１に示すように、裏面２に粘着剤３が施されてなる帯状のノーセパレータラベル１において、該ノーセパレータラベル１のカット部に相当する箇所の裏面２に粘着剤が施されていない非粘着部４が設けられたものである。
【００１３】
このようなノーセパレータラベル１について詳細に述べると、図１に示すノーセパレータラベル１はロール状に巻回され、該ノーセパレータラベル１を構成する帯状のラベル基材５の表面６はラベルプリンタによる印字面とされ、その裏面２に粘着剤が施された粘着部７と粘着剤が施されていない非粘着部４とが順次設けられた構成とされている。このうち、粘着部７は所望のラベル形状に必要とされる長さＬ１を有し、非粘着部４の幅Ｌ２は少なくともカッタ刃が当らない幅であって、ラベル送り動作の誤差を考慮すると、１〜３mm程度が好ましい。
【００１４】
このような構成のノーセパレータラベル１に印字を施して所定長さでカットするには、例えば、周知のオートカットを搭載したサーマルプリンタ（不図示）に上記のロール状のノーセパレータラベル１を設置し、表面６に印刷を施した後、搭載されたカッタ刃を非粘着部４のカット部９（図１の一点鎖線に相当する）に当てて切断する。図１においては、カット部９で切断された単体のラベル８を切り放した状態に図示してある。
【００１５】
このような切断によれば、カッタ刃を粘着剤が施されていない非粘着部４に当てて切断するため、カッタ刃に粘着剤が付着することなくカットすることが可能となる。
【産業上の利用可能性】
【００１６】
本発明のノーセパレータラベルは、剥離紙の無いノーセパレータラベル自体を改良したものであり、ノーセパレータラベルにプリンターで印刷した後カットする際、カッタ刃にラベル裏面の粘着剤が付着しないようにしたラベル構成を簡単かつ低コストで製造し得るノーセパレータラベルとして利用することが可能である。
【図面の簡単な説明】
【００１７】
【図１】本発明によるノーセパレータラベルのロール巻き状態から一部引き出して裏面が見えるようにした斜視図である。
【図２】特許文献１のオートカッターの内部構造を示す側面図である。
【符号の説明】
【００１８】
１  ノーセパレータラベル
２  裏面
３  粘着剤
４  非粘着部
５  ラベル基材
６  表面
７  粘着部
８  単体のラベル
９  カット部
Ｌ１  ラベルの長さ
Ｌ２  非粘着部の幅
【図１】
2007212693.tif 000003
【図２】
2007212693.tif 000004
【手続補正書】
【提出日】平成19年6月7日(2007.6.7)
【手続補正１】
【補正対象書類名】特許請求の範囲
【補正対象項目名】全文
【補正方法】変更
【補正の内容】
【特許請求の範囲】
【請求項１】
裏面に粘着剤が施されてなる帯状のノーセパレータラベルのカット部に相当する箇所の裏面に剥離剤が施されていない非粘着部が設けられてなるノーセパレータラベルにおいて、該ノーセパレータラベルを構成する帯状のラベル基材の表面はラベルプリンタによる印字面とされ、その裏面に粘着剤が施された粘着部と粘着剤が施されていない非粘着部とが順次設けられ、粘着部はラベル形状に必要とされる長さを有し、非粘着部の幅は少なくともカッタ刃が当らない幅であって、ラベル送り動作の誤差を考慮した長さを有することを特徴とするノーセパレータラベル。
【手続補正２】
【補正対象書類名】明細書
【補正対象項目名】０００８
【補正方法】変更
【補正の内容】
【０００８】
上記の目的を達成するために、本発明の請求項１のノーセパレータラベルは、裏面に粘着剤が施されてなる帯状のノーセパレータラベルのカット部に相当する箇所の裏面に剥離剤が施されていない非粘着部が設けられてなるノーセパレータラベルにおいて、該ノーセパレータラベルを構成する帯状のラベル基材の表面はラベルプリンタによる印字面とされ、その裏面に粘着剤が施された粘着部と粘着剤が施されていない非粘着部とが順次設けられ、粘着部はラベル形状に必要とされる長さを有し、非粘着部の幅は少なくともカッタ刃が当らない幅であって、ラベル送り動作の誤差を考慮した長さを有することを特徴とする。